(57)【特許請求の範囲】
【請求項１】
柄と本体を枢支部において枢支し、
柄と本体の一方における上記枢支部を中心とする回転方向の複数位置に凹面を設け、
柄と本体の他方に設けられる係合部材を上記凹面に向けて付勢し、係合部材は柄と本体の回転により弾発的に進退して上記凹面に係脱でき、
柄と本体の他方の外面に沿ってスライド操作されるロック手段により、係合部材を上記凹面との係合位置に保持可能にする清掃具であって、
前記ロック手段が、
前記係合部材の前記進退方向に斜交する斜面に載置され、該係合部材の進退動により該進退方向に交差する方向に移動するロックピースと、
前記柄と本体の他方の外面に沿ってスライド操作可能に設けられ、上記ロックピースの移動を制止するロック位置と、制止しないロック解除位置とに切替設定される操作部材とからなる清掃具。
【請求項２】
前記柄が伸縮可能である請求項１に記載の清掃具。
【発明の詳細な説明】
【技術分野】
【０００１】
本発明は清掃具に関する。
【背景技術】
【０００２】
柄に対する本体の角度を多段に変更できる清掃具として、特許文献１に記載の如く、柄と本体を枢支部において枢支し、本体の上記枢支部を中心とする回転方向の複数位置に凹部を設け、柄に内蔵したロック部材を上記凹部に向けて付勢し、ロック部材をいずれかの凹部に嵌合させて柄と本体の角度をロックするものがある。
【０００３】
また、柄の側面に突出するボタンを押込むことにより、ボタンが係合するロック部材を凹部との係合位置から外し、柄に対する本体の回転を自由にし、柄に対する本体の角度を新たな角度に設定替えできるものとしている。
【特許文献１】特開2004-49619
【発明の開示】
【発明が解決しようとする課題】
【０００４】
特許文献１に記載の清掃具では、柄に対する本体の角度を変えようとするとき、ロック部材を従前の嵌合凹部との係合位置から外して新たな凹部に係合させるまで、ボタンを押込み続ける必要がある。柄を複数の凹部に対応する複数の角度位置に順に仮止めし、柄と本体の適度な角度を簡易に選択することも容易でない。
【０００５】
ボタンが押込み操作のために柄の側面から外方に突出しており、清掃具の外観（厚みや幅）のコンパクトを損なう。
【０００６】
長い柄では、ボタンを押込み続けながら、柄に対して本体を回転させることに困難がある。
【０００７】
本発明の課題は、清掃具において、柄に対する本体の角度を簡易に変更することにある。
【０００８】
本発明の他の課題は、清掃具の外観のコンパクトを図ることにある。
【０００９】
本発明の他の課題は、清掃具の柄が長いときにも、柄に対する本体の角度を簡易に変更することにある。
【課題を解決するための手段】
【００１０】
請求項１の発明は、柄と本体を枢支部において枢支し、柄と本体の一方における上記枢支部を中心とする回転方向の複数位置に凹面を設け、柄と本体の他方に設けられる係合部材を上記凹面に向けて付勢し、係合部材は柄と本体の回転により弾発的に進退して上記凹面に係脱でき、柄と本体の他方の外面に沿ってスライド操作されるロック手段により、係合部材を上記凹面との係合位置に保持可能にする清掃具であって、前記ロック手段が、前記係合部材の前記進退方向に斜交する斜面に載置され、該係合部材の進退動により該進退方向に交差する方向に移動するロックピースと、前記柄と本体の他方の外面に沿ってスライド操作可能に設けられ、上記ロックピースの移動を制止するロック位置と、制止しないロック解除位置とに切替設定される操作部材とからなるようにしたものである。
【００１１】
請求項２の発明は、請求項１の発明において更に、前記柄が伸縮可能であるようにしたものである。
【発明の効果】
【００１３】
（請求項１）
(a)柄に対する本体の角度を変更するときには、ロック手段の操作により、係合部材を凹面との係合位置に保持しない。そして、柄に対して本体を回転するだけで、係合部材は相隣る凹面のそれぞれに対し弾発的に進退して繰り返し係脱できるから、柄を複数の凹面に対応する複数の角度位置に順に仮止めし、柄と本体の適度な角度を簡易に選択することができる。柄と本体の適度な角度が選択されたときには、ロック手段の操作により、係合部材を凹面との係合位置に保持し、柄と本体の角度をロックできる。
【００１４】
(b)ロック手段は柄又は本体の外面に沿ってスライド操作させるように設けられるから、この操作部材が押込み操作のために柄や本体の側面から外方に突出することがない。清掃具の外観（厚みや幅）をコンパクトにでき、清掃具をより狭い隙間に挿入して使用できる。
【００１５】
(c)ロック手段が、係合部材の前記進退方向に斜交する斜面に載置され、該係合部材の進退動により該進退方向に交差する方向に移動するロックピースと、柄と本体の他方の外面に沿ってスライド操作可能に設けられ、上記ロックピースの移動を制止するロック位置と、制止しないロック解除位置とに切替設定される操作部材とからなる。従って、ロック手段をコンパクトにまとめて柄又は本体に内蔵できる。
【００１６】
（請求項２）
(d)柄が伸縮可能で長い状態にあるときにも、柄と本体の角度を変更するに際し、ロック手段の操作部材から手を離すことができるから、両手で長い柄と本体を把持して回転させることができる。
【発明を実施するための最良の形態】
【００１７】
図１は清掃具を示す斜視図、図２は清掃具の柄の最収縮状態を示す斜視図、図３は清掃具に清掃シートを取付けた状態を示す斜視図、図４は操作部材のロック状態を示す断面図、図５は操作部材のロック解除状態を示す断面図、図６は柄と本体の角度調節状態を示す断面図、図７は柄と本体の角度調節構造を分解して示す斜視図である。
【実施例】
【００１８】
清掃具１は、図１〜図３に示す如く、柄１０に本体２０を連結して構成される。
【００１９】
柄１０は、複数、本実施例では４個の軸１１〜１４を伸縮可能に連結したものである。軸１１の中空部に軸１２を、軸１２の中空部に軸１３を、軸１３の中空部に軸１４を順に挿入して軸方向に伸縮自在に連結したものである。これにより、本体２０の清掃ヘッド２４を使用者の手元〜遠隔に位置付けて使用できる。図１は最伸長状態、図２は最収縮状態を示す。
【００２０】
本体２０は、柄１０の最先端部（軸１４）に枢支部２１を介してアーム２２を枢支し、アーム２２の先端部に板ばね２３を介して清掃ヘッド２４を連結し、清掃ヘッド２４の取付プレート２５に清掃シート２６（図３）を着脱自在に挿着可能にしたものである。
【００２１】
以下、柄１０と本体２０（本実施例ではアーム２２）の角度調節構造について説明する（図４〜図７）。
【００２２】
柄１０とアーム２２を枢支部２１において枢支する。柄１０の軸１４の先端部に設けた取付部３１にアーム２２の二股状の取付部３２を嵌合する。取付部３２の一側の取付孔に挿着される回り止めスリーブ３３を取付部３１の取付孔３１Ａに一側から差し入れ、回り止めスリーブ３３の二面幅状の係合平面３３Ａを取付孔３１Ａの係合平面３１Ｂに係合させて回り止めする。取付部３２の他側の取付孔に挿着される回り止めスリーブ３４を取付部３１の取付孔３１Ａに他側から差し入れ、回り止めスリーブ３４の二面幅状の係合平面３４Ａを取付孔３１Ａの係合平面３１Ｂに係合させて回り止めする。止ねじ３５を回り止めスリーブ３３の中空部から差し込み、止ねじ３５の先端ねじ部を回り止めスリーブ３４のめねじ部に螺着することにより、アーム２２を軸１４の取付部３１に揺動可能に取付ける。
【００２３】
柄１０の取付部３１の外周面で、枢支部２１（止ねじ３５）を中心とする回転方向の複数位置に円弧状の凹面３６を設ける。
【００２４】
アーム２２に設けられる係合部材４１を柄１０の取付部３１の上記凹面３６に向けて付勢する。柄１０とアーム２２を枢支部２１において枢支したとき、アーム２２の中心軸上の軸方向に穿設してある横孔３７に、コイルばね４２、係合部材４１を順に装填する。係合部材４１は先端凸面４１Ａを備えるとともに、基端ばね受面４１Ｂを備え、ばね受面４１Ｂに突設してある突部４１Ｃをコイルばね４２の内径部に挿入する状態で、コイルばね４２の付勢力により付勢されるとともに、横孔３７の軸方向に沿う横方向ガイド面３７Ａにガイドされて凸面４１Ａを柄１０の取付部３１のいずれかの凹面３６に押し当てる。係合部材４１の凸面４１Ａは、使用者が柄１０とアーム２２を折り曲げる如くに回転させるとき、コイルばね４２の付勢力を受ける状態下で弾発的に軸方向に沿う横方向に進退して相隣る凹面３６に順に係脱できる。即ち、本体２０を柄１０に対して回転させると、本体２０の係合部材４１が取付部３１に対して回転する。そして、係合部材４１が回転すると、係合部材４１の凸面４１Ａがコイルばね４２の付勢力に抗して取付部３１の凹面３６の円孤状の面に押し戻され、凹面３６と隣の凹面３６との間に乗り上がり、係合部材４１はコイルばね４２が挿入されている横孔３７の軸方向に沿う横方向に沿って後退する（コイルばね４２の方向に後退する）。そして、さらに係合部材４１が取付部３１に対して回転すると、係合部材４１の凸面４１Ａは上記の回転方向の隣にある凹面３６に弾発的に入りこみ、係合部材４１は横孔３７の軸方向に沿う横方向に前進する。以上のように、係合部材４１の凸面４１Ａは、本体２０を柄１０に対して回転させることで、横孔３７の軸方向に沿う横方向に進退しながら相隣る凹面３６に入り込み、係合凸面４１Ａと凹面３６の係脱を可能としている。
【００２５】
アーム２２の外面に沿ってスライド操作されるロック手段５０が、係合部材４１の凸面４１Ａを柄１０の取付部３１のいずれかの凹面３６との係合位置に保持し、取付部３１の回転（柄１０に対する本体２０の回転）を止める。ロック手段５０は、ロックピース５１と操作部材５２とからなる。
【００２６】
ロックピース５１は、係合部材４１の前述の弾発的な進退方向（横孔３７の軸方向に沿う横方向）に斜交する斜面４１Ｄの上に載置され、係合部材４１の進退動により該進退方向に直交する上下方向に移動する。ロックピース５１は、係合部材４１の斜面４１Ｄから基端側に延在される狭幅部４１Ｅにまたがる門型断面をなし、門型の上面５１Ａの両側部から狭幅部４１Ｅの両外側に配置される両側脚部５１Ｂを有し、上面５１Ａ及び脚部５１Ｂの前側端面を係合部材４１の進退方向に直交する上下方向に延びる垂直面５１Ｃとし、脚部５１Ｂの下面を係合部材４１の斜面４１Ｄに当接する斜面５１Ｄとする。ロックピース５１は、垂直面５１Ｃをアーム２２の横孔３７の軸方向に沿う横方向に対し上方から交差する縦孔３８の縦方向ガイド面３８Ａにガイドされ、上述の上下方向に移動する。
【００２７】
操作部材５２は、アーム２２の上側の外面に沿ってスライド操作可能に設けられ、ロックピース５１の上下方向の移動を制止するロック位置と、制止しないロック解除位置とに切替設定される。操作部材５２は、アーム２２の上面に凹設したスライドガイド部２２Ａに上から係着されるスライドプレート５３と、スライドプレート５３の裏面に係着されて一体化されるロックプレート５４とからなる。スライドプレート５３はアーム２２のスライドガイド部２２Ａに沿って前後にスライドし、スライドガイド部２２Ａに設けてある前後のストッパ凹部２２Ｆ、２２Ｒに係合し、結果として前後２位置（ロック位置とロック解除位置）のいずれかに停留する。ロックプレート５４は、スライドプレート５３の前後スライドとともに前後に移動し、ロックプレート５４がスライドプレート５３とともに前側のロック位置に停留するとき（図４）、ロックプレート５４はロックピース５１の上面５１Ａを上から抑えてロックピース５１の上下方向の移動を制止し、ひいては係合部材４１の前述の進退動を制止する。ロックプレート５４がスライドプレート５３とともに後側のロック解除位置に停留するとき（図５、図６）、ロックプレート５４はロックピース５１の上面５１Ａからより後方に外れ、ロックピース５１の上下方向の移動を制止せず、係合部材４１の前述の進退動を自由にする。
【００２８】
従って、清掃具１にあっては、ロック手段５０の操作部材５２（スライドプレート５３及びロックプレート５４）がロック位置に停留されたときには、図４に示す如く、柄１０の取付部３１のいずれかの凹面３６と係合している係合部材４１の進退動を制止し、係合部材４１が設けられているアーム２２と柄１０の角度をロックする。他方、ロック手段５０の操作部材５２がロック解除位置に停留されたときには、図５、図６に示す如く、係合部材４１の進退動を自由にし、柄１０とアーム２２の回転とともに、係合部材４１は柄１０の取付部３１の相隣る凹面３６のそれぞれに対し弾発的に進退して繰り返し係脱でき、柄１０を任意の角度位置に順に仮止めし、適度な角度を選択できる。
【００２９】
尚、清掃具１にあっては、柄１０と本体２０（アーム２２）の一方に凹面３６を設け、他方に係合部材４１、ロック手段５０等を設けるものであれば良い。
【００３０】
本実施例によれば以下の作用効果を奏する。
(a)柄１０に対する本体２０の角度を変更するときには、ロック手段５０の操作により、係合部材４１を凹面３６との係合位置に保持しない。そして、柄１０に対して本体２０を回転するだけで、係合部材４１は相隣る凹面３６のそれぞれに対し弾発的に進退して繰り返し係脱できるから、柄１０を複数の凹面３６に対応する複数の角度位置に順に仮止めし、柄１０と本体２０の適度な角度を簡易に選択することができる。柄１０と本体２０の適度な角度が選択されたときには、ロック手段５０の操作により、係合部材４１を凹面３６との係合位置に保持し、柄１０と本体２０の角度をロックできる。
【００３１】
(b)ロック手段５０は柄１０又は本体２０の外面に沿ってスライド操作させるように設けられるから、この操作部材５２が押込み操作のために柄１０や本体２０の側面から外方に突出することがない。清掃具１の外観（厚みや幅）をコンパクトにでき、清掃具１をより狭い隙間に挿入して使用できる。
【００３２】
(c)ロック手段５０が、係合部材４１の前記進退方向に斜交する斜面４１Ｄに載置され、該係合部材４１の進退動により該進退方向に交差する方向に移動するロックピース５１と、柄１０と本体２０の他方の外面に沿ってスライド操作可能に設けられ、上記ロックピース５１の移動を制止するロック位置と、制止しないロック解除位置とに切替設定される操作部材５２とからなる。従って、ロック手段５０をコンパクトにまとめて柄１０又は本体２０に内蔵できる。
【００３３】
(d)柄１０が伸縮可能で長い状態にあるときにも、柄１０と本体２０の角度を変更するに際し、ロック手段５０の操作部材５２から手を離すことができるから、両手で長い柄１０と本体２０を把持して回転させることができる。
【図面の簡単な説明】
【００３４】
【図１】図１は清掃具を示す斜視図である。
【図２】図２は清掃具の柄の最収縮状態を示す斜視図である。
【図３】図３は清掃具に清掃シートを取付けた状態を示す斜視図である。
【図４】図４は操作部材のロック状態を示す断面図である。
【図５】図５は操作部材のロック解除状態を示す断面図である。
【図６】図６は柄と本体の角度調節状態を示す断面図である。
【図７】図７は柄と本体の角度調節構造を分解して示す斜視図である。
【符号の説明】
【００３５】
１  清掃具
１０  柄
２０  本体
２１  枢支部
３６  凹面
４１  係合部材
４１Ｄ  斜面
５０  ロック手段
５１  ロックピース
５２  操作部材
【図１】
0005001079.tif 000002
【図２】
0005001079.tif 000003
【図３】
0005001079.tif 000004
【図４】
0005001079.tif 000005
【図５】
0005001079.tif 000006
【図６】
0005001079.tif 000007
【図７】
0005001079.tif 000008